(57)【要約】【課題】本発明は、手摺り壁の頂面及び内外側壁上部に正しく真っ直ぐに貼ることができ、しかも、２度手間をなくし、内外側壁の下部へ張る外壁防水紙をあとからでも充分に作業することのできる鞍掛けシートを提供する。【解決手段】本発明に係る鞍掛けシートは、手摺り壁Ａの頂面Ｂを覆う分と内外側壁に垂らす分とを加えた横幅Ｙを有する長尺のシート本体２の片面に、防水粘着層３を積層し、該防水粘着層３の表面に設けた剥離材４の幅方向中央部に、長さ方向に沿った２条の切り込み線５、５′を設けたことを特徴とし、手摺り壁の頂面から内外側壁上部への貼り作業の２度手間を省き、手摺り壁の内外側壁下部への外壁防水紙の貼り作業をスムーズにできるように構成した。【選択図】図１
2015117493.tif 000002
【特許請求の範囲】
【請求項１】
手摺り壁の頂面を覆う分と内外側壁に垂らす分とを加えた横幅を有する長尺のシート基材の片面に、防水粘着層を積層し、該防水粘着層の表面に設けた剥離材の幅方向中央部に、長さ方向に沿った２条の切り込み線を設けたことを特徴とする鞍掛けシート。
【請求項２】
前記防水粘着層が、ゴムやプラスチック等の高分子化合物に、樹脂・オイル・アスファルト・フィラー等を混合したものであることを特徴とする請求項１に記載の鞍掛けシート。
【発明の詳細な説明】
【技術分野】
【０００１】
本発明は、木造バルコニーの手摺り壁の頂面及び内外側壁上部の防水処理を鞍掛け状に施工できる鞍掛けシートに関するものである。
【背景技術】
【０００２】
一般に、木造バルコニーの手摺り壁（又はパラペット）の平らな（水平）頂面には、金属笠木がアンカー金具（ベースアンカーともいう）によって取り付けられているが、アンカー金具は手摺り壁の頂面に貼った防水材をビスにより貫通させていることから防水性能上マイナスであった。この防水性能を向上させる防水工法が、特開２００１−３２４７２として開示されている。この防水工法は高さの低いパラペットで内側防水紙が必要ない場合に限られたものに適用される技術であるが、まず、低いパラペットの頂面に防水テープを圧着し、次いで、その上面及び内側壁に塗膜型ゴム系防水材を鞍掛け状に塗布せしめていた。
【特許文献１】特開２００１−３２４７２号公報
【発明の開示】
【発明が解決しようとする課題】
【０００３】
しかしながら、上述特許文献１の防水工法は、パラペットの頂面に圧着する防水テープは曲がって貼られることがあった場合、防水性能が低下し、剥がして修正しても防水性能の向上は見込めなかった。また、防水テープを圧着させる作業と、その上からの塗膜型ゴム系防水材の塗布作業という２度手間が強いられていた。さらに、パラペットの外側壁下部には、外側壁防水紙を貼る必要があるが、該外側壁防水紙は塗膜型ゴム系防水材を塗布する前には貼っておかなければならず、作業順が限定されてしまい、かつ、パラペットが低く、内側壁防水紙を用いない場合に限られるという問題もあった。
【０００４】
本発明は、上記問題を解消し、その目的とするところは、手摺り壁の頂面及び内外側壁上部に正しく真っ直ぐに貼ることができ、しかも、２度手間をなくし、内外側壁の下部へ張る外壁防水紙を施工する順序が限定されずに作業することのできる鞍掛けシートを提供することにある。
【課題を解決するための手段】
【０００５】
上記目的を達成するため、本発明に係る鞍掛けシートは、手摺り壁の頂面を覆う分と内外側壁に垂らす分とを加えた横幅を有する長尺のシート基材の片面に、防水粘着層を積層し、該防水粘着層の表面に設けた剥離材の幅方向中央部に、長さ方向に沿った２条の切り込み線を設けたことを特徴とし、手摺り壁の頂面から内外側壁上部への貼り作業の２度手間を省き、手摺り壁の内外側壁下部への外壁防水紙の貼り作業をスムーズにできるように構成した。
【０００６】
また、請求項２に記載の発明に係る鞍掛けシートは、前記防水粘着層が、ゴムやプラスチック等の高分子化合物に、樹脂・オイル・アスファルト・フィラー等を混合したものであることを特徴とし、接着力を高め、ビス穴（又は釘穴）シール性能を高め得るように構成した。
【発明の効果】
【０００７】
本発明によれば、２条の切り込み線から内側の剥離材を剥がして防水粘着層を線状に露出させて手摺り壁の頂面に真っ直ぐ貼れるようにしたこと。２条の切り込み線から外側の剥離材を剥がして広く防水粘着層を露出させて内外側壁上部を鞍掛け状に覆いつつ貼れるようにしたこと。頂面へいったん防水材を貼らなくても頂面及び内外側壁上部への貼り作業が一挙にできるから２度手間を省けること。鞍掛け状に貼った内外側壁の下側は剥がせるので、あとから内外側壁下部に貼った外壁防水紙の上に重ねて防水できること。シート本体の片面に一体的に防水粘着層が積層されているので防水性能が良好であるなど各種の優れた効果を奏するものである。
【０００８】
また、請求項２の発明によれば、前記防水粘着層が、ゴムやプラスチック等の高分子化合物に、樹脂・オイル・アスファルト・フィラー等を混合したものであるため、接着力が高く、しかも、ビス穴（又は釘穴）シール性能が高くなるという優れた効果を奏するものである。
【発明を実施するための最良の形態】
【０００９】
次に、本発明の実施の態様を添付図面に基づいて説明する。図１は本願シートの剥離材側から見た斜視図、図２は本願シートの一部を省略した拡大断面図、図３は切り込み線間の剥離材を剥がして手摺り壁の頂面に貼っている状態を示す斜視図、図４は切り込み線の外側の剥離材を剥がしている過程を示す斜視図、図５は本願シートと外壁防水紙との重ね部を示す斜視図、図６は完成した手摺りを示す断面図、図７はビス穴シール性の試験態様を示す断面図である。
【００１０】
１は本願シート、２は長尺のシート基材である。シート基材２の長さは、通常では５ｍ〜５０ｍで、ロール状に巻回（図示せず）されている。その横幅Ｙは、図３の如く、手摺り壁Ａの頂面Ｂを覆う分Ｂ１と、内外側壁Ｃ、Ｃ′に垂らす分Ｃ１、Ｃ１′とを加えた分になっている。このシート基材２の素材には多様なものが用いられる。たとえば、ＰＶＣ、ＰＥ、ＰＥＴ、ＰＰなどのプラスチックフィルム、アスファルトを含浸した織布や不織布や紙、またはプラスチックフィルムと織布や不織布や紙を貼り合わせたもの、あるいは、プラスチックフィルムとアルミや銅や鉄などを含む金属箔の単体を貼り合わせたもの、或いはこれらの複合品を貼り合わせたものなどがある。
【００１１】
前記シート基材２の片面には、防水粘着層３を積層し、該防水粘着層３はゴムやプラスチック等の高分子化合物に、樹脂・オイル・アスファルト・フィラー等を混合したものは高い接着力を発揮できるようになる。ここに示すゴムやプラスチックとしては、天然ゴム、ＳＢＲ、ＮＢＲ、ＢＲ、ＩＲ、ＣＲ、ＩＩＲ、ＥＰＲ、ＥＰＤＭ、ＰＩＢ、ＳＢＳ、ＳＩＳ、ＳＥＢＳ、塩素化ポリエチレン、ＥＶＡ等がある。
【００１２】
前記シート基材２の他の片面（手摺り壁Ａに貼ったときに表になる面）には、色彩、文字又は模様が施されている。色彩は赤、青などの単一色でもよいし、文字は漢字、平仮名、片仮名及び英文字などで、意味の有無は問わない。模様は静物や動物や航空物や陸上走行物などの絵あるいは幾何学的なものでもよい。
【００１３】
前記防水粘着層３の表面には、剥離材４が貼られている。該剥離材４は、防水粘着層３の粘着力を一時的に（貼ってある間）規制するためのもので、剥がすことにより直ちに、粘着力を回復することとなる。
【００１４】
前記剥離材４の幅方向（横幅Ｙの方向）中央部には、長さ方向に沿って２条の切り込み線５、５′が防水粘着層３の表面に達する深さ（防水粘着層３を切り込まない）に設けられている。該２条の切り込み線５、５′に挟まれた剥離材４は、図１の如く、剥がすと、防水粘着層３が線状に露出することとなる。この線状に露出した防水粘着層３は、手摺り壁Ａの頂面Ｂに、図３の如く、真っ直ぐ貼ることができる。この線状の露出部分は狭い範囲であるから曲がっても簡単に貼り替え修正することができるし、貼り替え修正により防水性能が阻害されることはない。
【００１５】
前記手摺り壁Ａの頂面Ｂに、線状に露出した防水粘着層３が真っ直ぐ貼られた後、前記２条の切り込み線５、５′の外側の剥離材４を、図４の如く、剥がすと防水粘着層３を広く露出させることができる（図では切り込み線５の外側だけを剥がしているが切り込み線５′の外側も同じ）。この露出部分は前記手摺り壁Ａの頂面ＢのエッジＢ′から折って内外側壁Ｃ、Ｃ′の上部に鞍掛け状に貼ることができる。
【００１６】
前記本願シート１が鞍掛け状に貼られた後、その下部に相当する剥離紙を剥がさずにおくと、まくり上げることができる。したがって、あとから内外側壁Ｃ、Ｃ′の下部に外壁防水紙６、６′を貼ってから、図５の如く、まくり上げた部分の剥離紙を剥がして重ね部Ｄを作るように貼ることができる。したがって、作業順はあとさきになっても問題ない。
【００１７】
前記手摺り壁Ａの頂面Ｂの適所に、図６の如く、アンカー金具７を、本願シート１を貫通するようにビス８により止め、このアンカー金具７に金属笠木９を被せるように嵌め込んで固定する。しかる後、前記金属笠木９の庇部分９′に上端を潜り込ませるように外壁仕上げ材１０、１０を設置する。該仕上げ材１０、１０と金属笠木９との間にはシーリングパッキン材１１を嵌入すれば、手摺りとして完成する。
【００１８】
（本願シートの実験）
次に、本願シート１（９０ｍｍ×９０ｍｍ）を用意し、該本願シート１を、図７の如く、手摺り壁の頂面に見立てた木材ａの上面に防水粘着層３にて接着し、その上に、アンカー金具に見立てた金属材（厚さ３．１ｍｍ）ｂを置き、該金属材ｂを貫通したビス（Φ５．１ｍｍ）ｃで木材ａに止める。これと同じものを１０個用意する。そして本願シート１上に、それぞれ金属材ｂを囲むように円筒材（内径４０ｍｍ、高さ５０ｍｍ）ｄを置く。この円筒材ｄの下端を本願シート１の表面に接着する。そして円筒材ｄ内に高さ３０ｍｍまで水ｅで満たし２４時間置く。
（単なる防水シートと防水粘着テープとを別個に用いた場合の実験）
【００１９】
防水粘着層３をもたない単なる防水シート（９０ｍｍ×９０ｍｍ）と、手摺り壁の頂面の幅相当の防水粘着テープ（９０ｍｍ×９０ｍｍ）をそれぞれ用意し、まず、防水粘着テープを手摺り壁の頂面に見立てた木材ａの上面に貼り、次いで防水粘着テープの上に重ねて単なる防水テープを接着する。その上に、アンカー金具に見立てた金属材（厚さ３．１ｍｍ）ｂを置き、該金属材ｂを貫通したビス（Φ５．１ｍｍ）ｃで木材ａに止める。これと同じものを１０個用意する。そして単なる防水シート上の金属材ｂを囲むように円筒材（直径４０ｍｍ、高さ５０ｍｍ）ｄを置く。この円筒材ｄの下端を単なる防水シートの表面に接着する。そして円筒材ｄ内に高さ３０ｍｍまで水ｅで満たし２４時間置く。
【００２０】
上記の結果、本願シートの場合と、単なる粘着シートと防水粘着テープとを別個に用いた場合とで１０個とも漏水痕がなかった。このことは、本願シートの場合も単なる粘着シートと防水粘着テープとを別個に用いた場合とで、防水性能において両者に差がない点を確認したが、本願シートの場合には一度貼りで完成し、２度貼りしない（ひと手間で貼れる）点で有利であることが実証された。
【産業上の利用可能性】
【００２１】
本発明は、木造バルコニーの手摺り壁の頂面及び内外側壁上部の防水処理を鞍掛け状に施工できる鞍掛けシートであり、広く産業上の利用可能性は高いものである。
【図面の簡単な説明】
【００２２】
【図１】本願シートの剥離材側から見た斜視図である。
【図２】本願シートの一部を省略し拡大断面図である。
【図３】切り込み線間の剥離材を剥がして手摺り壁の頂面に貼っている状態を示す斜視図である。
【図４】切り込み線の外側の剥離材を剥がしている過程を示す斜視図である。
【図５】本願シートと外壁防水紙との重ね部を示す斜視図である。
【図６】完成した手摺りを示す断面図である。
【図７】ビス穴シール性の試験態様を示す断面図である。
【符号の説明】
【００２３】
１  本願シート
２  シート本体
３  防水粘着層
４  剥離材
５、５′  切り込み線
６、６′  外壁防水紙
７  アンカー金具
８  ビス
９  金属笠木
１０、１０′  仕上げ材
１１  シーリングパッキン材
Ａ  手摺り壁
Ｂ  頂面
Ｂ′  エッジ
Ｃ、Ｃ′  内外側壁
Ｙ  横幅
ａ  木材
ｂ  金属材
ｃ  木ネジ
ｄ  円筒材
【図１】
2015117493.tif 000003
【図２】
2015117493.tif 000004
【図３】
2015117493.tif 000005
【図４】
2015117493.tif 000006
【図５】
2015117493.tif 000007
【図６】
2015117493.tif 000008
【図７】
2015117493.tif 000009